(57)【要約】【課題】本発明は、立ち襟と前身頃を一体化した縫い目のない１パーツにすることにより、洗濯後に立ち襟先が波打って開いたり折れてしまうことを防止する。【解決手段】本発明は、立ち襟と前身頃を一体型（６）にした部分を縫い合わせ部分（４）がない１パーツにしている点が特徴。そのため高い位置までファスナー（５）が付けられ、外観の保持に優れ、異物混入防止にも効果がある。【選択図】図３
2012158857.tif 000002
【特許請求の範囲】
【請求項１】
それぞれ一枚の布によって立ち襟の各前部位すなわち襟元に近接した左右の各部分にあたる部位と前身頃の各中央部位すなわち前身頃の前開縁に近接した左右の各部位を一体として形成することによって立ち襟の前部位と前身頃の中央部位とを一体化した立ち襟・前身頃一体型上衣
【請求項２】
立ち襟の前部位と前身頃の中央部位とを一体化することによって、前身頃の中央部位の前開縁に沿って装着されるファスナーの最高端を立ち襟の上端の位置にまで高くすることを可能とするファスナーを装えた請求項１の立ち襟・前身頃一体型上衣
【請求項３】
立ち襟の前部位と前身頃の中央部位とを一体化した布の形状が、ラグラン袖の切り替えラインの形状であることを特徴とする請求項１の立ち襟・前身頃一体型上衣
【請求項４】
立ち襟の前部位と前身頃の中央部位とをラグラン袖の切り替えラインの形状に一体化することによって、前身頃の中央部位に沿って装着されるファスナーの最高端を立ち襟の上端の位置にまで高くすることを可能とするファスナーを装えた請求項３の立ち襟・前身頃一体型上衣
【請求項５】
一体化した各部位に左右各一体の薄膜状の芯材を添えることを特徴とする請求項１の立ち襟・前身頃一体型上衣
【請求項６】
一体化した各部位に左右各一体の薄膜状の芯材を添えることを特徴とする請求項２の立ち襟・前身頃一体型上衣
【請求項７】
立ち襟の上端の位置が着衣者の喉仏よりも下におくことを可能にすることを特徴とする請求項２の立ち襟・前身頃一体型上衣
【請求項８】
一枚の布によって立ち襟の左右前部位すなわち襟元に近接した左右の各部分にあたる部位と前身頃の中央上部位すなわち前身頃の下端に達しない前開縁を取り囲んで近接する各部位を一体として形成することによって立ち襟の前部位と前身頃の中央上部位とを一体化した立ち襟・前身頃一体型上衣
【請求項９】
立ち襟の前部位と前身頃の中央上部位とを一体化することによって、前身頃の中央上部位の前開縁に沿って装着されるファスナーの最高端を立ち襟の上端の位置にまで高くすることを可能とするファスナーを装えた請求項８の立ち襟・前身頃一体型上衣
【請求項１０】
立ち襟の前部位と前身頃の中央上部位とを一体化した布の形状が、ラグラン袖の切り替えラインの形状であることを特徴とする請求項８の立ち襟・前身頃一体型上衣
【請求項１１】
立ち襟の前部位と前身頃の中央上部位とをラグラン袖の切り替えラインの形状に一体化することによって、前身頃の中央部位に沿って装着されるファスナーの最高端を立ち襟の上端の位置にまで高くすることを可能とするファスナーを装えた請求項１０の立ち襟・前身頃一体型上衣
【請求項１２】
一体化した各部位に一体の薄膜状の芯材を添えることを特徴とする請求項８の立ち襟・前身頃一体型上衣
【請求項１３】
一体化した各部位に一体の薄膜状の芯材を添えることを特徴とする請求項９の立ち襟・前身頃一体型上衣
【発明の詳細な説明】
【技術分野】
【０００１】本発明は、洗濯後に問題となる立ち襟の波打ち、襟先の開きや折れてしまう現象を防止する立ち襟と前身頃を一体型にした食品工場用ユニフォームの上衣に関するものである。
【背景技術】
【０００２】食の安全性の取り組みにより、異物混入防止・衛生面の視点から食品工場用ユニフォームは頻繁に洗濯が行なわれる状況にある。そして、この食品工場ユニフォームは、従来、図１や図４に示すタイプのものが多く着用されている。前身頃（３）に立ち襟（１）を縫い合わせる構造となり、縫製上の理由からファスナー（５）は前身頃（３）の上部までしか付けられず、立ち襟付き合わせ部分（２）は何も支えのない状態になっていた。【０００３】しかしながら、このような食品工場用ユニフォームは図２や図５が示すように、立ち襟付き合わせ部分（２）に何も支えがない状態のため、洗濯後、特に工業洗濯のトンネルフィニッシャー工程の熱風によって、立ち襟先が波打って開いたり、折れてしまう現象があった。
【発明の概要】
【発明が解決しようとする課題】
【０００４】洗濯後、特に工業洗濯のトンネルフィニッシャー工程の熱風によって、立ち襟先が波打って開き、さらに折れてしまう現象により、洗濯の仕上げ工程に手間がかかったり、食品工場用ユニフォームとして着用するうえでも外観・安全性の面で問題となっていた。【０００５】そこで、本発明は立ち襟と前身頃を１パーツとして一体化することにより、前述の欠点を解決しようとするものである。
【課題を解決するための手段】
【０００６】立ち襟と前身頃のそれぞれを別パーツとして縫い合わせる構造ではなく、立ち襟と前身頃のフロント部分を縫い目のない１パーツとして一体型にしたものである。一体化した部分には折れないように芯を張り強度を高めることもできる。更にファスナーの付け位置も高く設定でき、上の位置までぴったりと閉めることを可能にしたことにより問題点を解決している。
【発明の効果】
【０００７】上述の様に、立ち襟と前身頃の中央部を一体化し、立ち襟と前身頃を縫い合わさない１パーツとして形成したものであり、１パーツとして形成することにより、立ち襟と前身頃の縫い合わせがない分、ファスナーの付け位置を高く設定できるため、洗濯後、特に工業洗濯のトンネルフィニッシャー工程の熱風によって、立ち襟先が波打って開いたり、さらに折れてしまうことを防ぐことができる。【０００８】また、立ち襟と前身頃が別パーツになった従来の図１や図４に示すタイプと比べて、食品工場用ユニフォームの上衣の中にケープ部分を入れ込んで着用するフード帽子のケープ部分をしっかりと押さえ込むことが可能で、立ち襟付き合わせ部分（２）からケープ部分の布が出にくくなっている。【０００９】さらに、ファスナーの付け位置も高く設定でき、上の位置までぴったりと閉めることを可能にしたことにより、従来の図１や図４に示すタイプと比べて、衣服内からの異物が出にくく異物混入防止に効果がある。
【図面の簡単な説明】
【００１０】
【図１】立ち襟と前身頃が別パーツになった上衣を示した平面図である。
【図２】立ち襟と前身頃が別パーツになった上衣の洗濯後（特に工業洗濯のトンネルフィニッシャー工程の熱風において）の仕上がりを示した平面図である。
【図３】立ち襟と前身頃が一体化した上衣を示した平面図である。
【図４】立ち襟と前身頃が別パーツになった上衣を示した平面図である。
【図５】立ち襟と前身頃が別パーツになった上衣の洗濯後（特に工業洗濯のトンネルフィニッシャー工程の熱風において）の仕上がりを示した平面図である。
【図６】立ち襟と前身頃が一体化した上衣を示した平面図である。
【発明を実施するための形態】
【００１１】以下、添付図面に従って本発明の実施例を説明する。図３について、立ち襟（１）と前身頃（３）を一体化した中心部のパーツ（６）は、立ち襟と前身頃と縫い合わせるため表側に接ぎ目（７）がでるのが特徴。図６は、ラグラン袖の切り替えライン（８）に合わせる形で１パーツとしているため表側には接ぎ目がなく押えミシン（９）のみが表に出るのが特徴である。
【００１２】図１は、立ち襟（１）と前身頃（３）が別パーツになった上衣となる。前身頃（３）と立ち襟（１）のパーツを縫い合わせる構造となる。縫製上の理由からファスナー（５）は前身頃（３）パーツの上部までしか付けられず、立ち衿付き合わせ部分（２）は何も支えのない状態になっている。図２は、洗濯後、特に工業洗濯のトンネルフィニッシャー工程の熱風によっての仕上がりを示した上衣である。立ち襟（１）は衿先が波打って開いたり折れてしまう状態になっている。図３は、立ち襟（１）と前身頃（３）が一体化した上衣となる。立ち襟と前身頃を一体型にした中心部のパーツ（６）には、立ち衿付き合わせ部分（２）と縫い合わせ部分（４）がないのが特徴であり、縫い合わせ部分（４）がないため、高い位置までファスナー（５）を付けることができる。なお、前身頃の前開部は、下端まで切り開かれている必要はなく、ポロシャツのように上部だけが開く形状のものでも構わない。
【００１３】ラグラン袖の場合も同様である。図４は、立ち襟（１）と前身頃（３）が別パーツになった上衣となる。前身頃（３）と立ち襟（１）のパーツを縫い合わせる構造となる。縫製上の理由からファスナー（５）は前身頃（３）パーツの上部までしか付けられず、立ち衿付き合わせ部分（２）は（３）何も支えのない状態になっている。図５は、洗濯後、特に工業洗濯のトンネルフィニッシャー工程の熱風によっての仕上がりを示した上衣である。立ち襟（１）は衿先が波打って開いたり折れてしまう状態になっている。図６は、立ち襟（１）と前身頃（３）が一体化した上衣となる。立ち襟と前身頃を一体型にした中心部のパーツ（６）には、立ち衿付き合わせ部分（２）と縫い合わせ部分（４）がないのが特徴である。縫い合わせ部分（４）がないため、高い位置までファスナー（５）を付けられる。
【符号の説明】
【００１４】１  立ち襟
２  立ち襟付き合わせ部分
３  前身頃
４  立ち衿と前身頃の縫い合わせ部分
５  ファスナー
６  一体型パーツ
７  一体型パーツ接ぎ目
８  ラグラン袖の切り替えライン
９  一体型パーツ押えミシン
【図１】
2012158857.tif 000003
【図２】
2012158857.tif 000004
【図３】
2012158857.tif 000005
【図４】
2012158857.tif 000006
【図５】
2012158857.tif 000007
【図６】
2012158857.tif 000008